(57)【要約】【課題】基礎拵えを省略し、埋め戻しの区分け及び埋め戻し材の転圧が不要である埋設管の無基礎工法を提供する。【解決手段】トレンチ掘削し、トレンチ内に埋設管を敷設して埋め戻す工法であって、埋設管をトレンチ底面より離隔させた状態で位置決めを行って設置し、トレンチ内にスラリー化安定処理土を埋設管の全周が隠れるまで一度に充填することを特徴とする。【選択図】図１
2006183779.tif 000002
【特許請求の範囲】
【請求項１】
トレンチ掘削し、トレンチ内に埋設管を敷設して埋め戻す工法であって、
埋設管をトレンチ底面より離隔させた状態で位置決めを行って設置し、
トレンチ内にスラリー化安定処理土を埋設管の全周が隠れるまで一度に充填することを特徴とする埋設管の無基礎工法。
【請求項２】
請求項１に記載の埋設管の無基礎工法において、位置決め装置を設置して埋設管の浮き上がりを防止することを特徴とする、
埋設管の無基礎工法。
【請求項３】
請求項２に記載の埋設管の無基礎工法において、上記位置決め装置が取り外し自在であることを特徴とする埋設管の無基礎工法。
【請求項４】
請求項２乃至３のいずれかに記載の埋設管の無基礎工法において、前記位置決め装置は、一端を埋設管と接続する縦杆と、縦杆の他端と交差させて接続した横断杆と、からなり、位置決め装置から反力を得て埋設管の浮き上がりを防止することを特徴とする、
埋設管の無基礎工法。
【発明の詳細な説明】
【技術分野】
【０００１】
本発明は、埋設管の無基礎工法に関するものである。
【背景技術】
【０００２】
従来より、水道管、ガス管、下水管、信号ケーブル用鞘管、ファイバケーブル等の管（以下「埋設管」とする）を地中に埋設する工法は、地表を開削して管を埋設するトレンチ工法が広く知られている。
【０００３】
図４に基づいて一般的なトレンチ工法を説明する。
最初に土留め掘削を行った後、砂などの骨材を層状に布設し、その後締め固めて基礎層２０を形成して基礎拵えをする。（図４Ａ）
次に基礎層２０に埋設管６を吊り込んで設置し、（図４Ｂ）埋設管６の周りに砂を埋め戻し、十分に締め固めて巻立層２１を形成する。（図４Ｃ）
そして最後に切梁１１を撤去しつつ、良質土を埋め戻して埋立層２２を形成するものである。（図４Ｄ）
【発明の開示】
【発明が解決しようとする課題】
【０００４】
前記した従来のトレンチ工法にあっては、以下のような問題を抱えていた。
＜１＞地盤が軟弱な場合、基礎層２０の締め固め作業が困難となるため、施工そのものが非常に困難となる。
＜２＞地盤が軟弱な場合、掘削に伴うリバウンドにより地盤が膨張し、埋設管６を所定の位置に設置しても、埋め戻し作業時に、膨張した地盤が再び圧縮され、沈下するため、埋設管６も沈下してしまう。
＜３＞骨材および砂は透水性材料であるため、埋設管の設置場所が河川敷や堤防敷きの場合、施工の許可がおりにくい。
＜４＞埋め戻し後の土留壁の引き抜き作業で埋め戻し材がゆるみ、埋め戻し部分及び周囲の路面の沈下が発生する。
＜５＞従来は複数回にわたって埋め戻し作業を行うため、工期が長期化する。
＜６＞転圧作業が必要なため、騒音公害などの問題が起こる。
【課題を解決するための手段】
【０００５】
上記のような課題を解決するために、本発明の第１発明は、トレンチ掘削し、トレンチ内に埋設管を敷設して埋め戻す工法であって、埋設管をトレンチ底面より離隔させた状態で位置決めを行って設置し、トレンチ内にスラリー化安定処理土を埋設管の全周が隠れるまで一度に充填することを特徴とするものである。
【０００６】
また、本発明の第２発明は、本発明の第１発明に記載の埋設管の無基礎工法において、位置決め装置を設置して埋設管の浮き上がりを防止することを特徴とするものである。
【０００７】
また、本発明の第３発明は、本発明の第２発明に記載の埋設管の無基礎工法において、上記位置決め装置が取り外し自在であることを特徴とするものである。
【０００８】
また、本発明の第４発明は、本発明の第２乃至第３発明のいずれかに記載の埋設管の無基礎工法において、前記位置決め装置は、一端を埋設管と接続する縦杆と、縦杆の他端と交差させて接続した横断杆と、からなり、位置決め装置から反力を得て埋設管の浮き上がりを防止することを特徴とするものである。
【発明の効果】
【０００９】
本発明の埋設管の無基礎工法は、上記した課題を解決するための手段により、次のような効果を得ることができる。
＜１＞埋設管に位置決め装置を取り付けて浮力に対抗し得るように位置決めすることにより、トレンチ内の埋め戻しにスラリー化安定処理土を使用することが可能となる。したがって、流動性に優れたスラリー化安定処理土を一度にトレンチ全域に効率よく、しかも隅々まで充填することができ、施工性が改善される。
＜２＞土留壁の撤去後にできた隙間にもスラリー化安定処理土が充填されて硬化するため、地盤の沈下がほとんど発生しない。
＜３＞位置決め装置は単純な機構で取扱性がよく、設置及び撤去が容易で転用が可能であるため、経済性が高い。
【発明を実施するための最良の形態】
【００１０】
以下、図面を参照しながら本発明の実施の形態について説明する。
【実施例１】
【００１１】
＜１＞位置決め装置
まず、本発明で使用する主要な装置について説明する。（図１）
位置決め装置５は、縦杆３と横断杆４からなり、縦杆３は、下端に埋設管６と接続する埋設管保持部３１を有し、横断杆４は、ねじ式、ピン式等の長手方向への伸縮を可能とする公知の長さ調節機構４１と、両端にエッジを形成するスパイク４２を有する。
縦杆３と横断杆４は垂直クランプ等の接続具８を介して交差するように接続するものとする。
【００１２】
＜２＞開削工程
土留壁２を地中に打設し土留壁２で囲まれた領域を形成する。上記領域は両側の土留壁２に沿って細長く形成されており、掘削を行ってトレンチ１を形成する。上記トレンチ１は埋設管６を設置することのできる深さに掘削されており、土留壁２には、Ｈ型鋼などの線材を用いた腹起（ここでは図示せず。）をボルトなどで取り付け、切梁１１の両端を腹起に押圧するように取り付ける。
【００１３】
＜３＞埋設管の敷設
トレンチ１の底面から離隔した状態で埋設管６を敷設する。敷設方法には、トレンチ底面に土嚢９１を敷き、その上に埋設管６を敷設する。（図２Ａ）
【００１４】
＜４＞横断杆の設置
スパイク４２は、横断杆４の両端にエッジをもって形成され、トレンチ１の土留壁の隙間の地山にスパイク４２をそれぞれ手ハンマーで打ち込む。その後、横断杆４に設けた長さ調節機構４１を用いて、横断杆４を長手方向に伸張し、スパイク４２を地山に押圧させ固定する。
また、横断杆４は、埋設管６の長手方向に沿って、一定の間隔で設置することで、位置決めをより効果的に行うことができる。
【００１５】
＜５＞縦杆の設置及び埋設管の固定
縦杆３を、直交クランプなどの接続具８を用いて前記横断杆４と交差するように設置する。縦杆３の下端に設けられた埋設管保持部３１と埋設管６とを固定する。このときに、埋設管６がトレンチ１の底面１０に接触しないようにする。
縦杆３と埋設管６との固定には、縦杆３の埋設管保持部３１を埋設管６とを結束材３２を用いて固定するなど、周知の取り付け方法を採用するものとする。
【００１６】
なお、埋設管６をクレーン等でトレンチ１内に吊りこんだまま縦杆３と接続することにより、土嚢９１を敷設せずに埋設管６をトレンチの底面１０から離隔して敷設することもできる。
【００１７】
＜６＞埋め戻し工程
埋設管６が十分に位置決めされた後、埋め戻しを行う。このとき、埋設管６をトレンチ１の底部１０に接触させないように設置するために用いた土嚢９１は、埋め戻しの前に、取り除いても放置しておいてもよい。
埋め戻しにはスラリー化安定処理土７を用いる。（図２Ｂ）  上記スラリー化安定処理土７は、流動性に富み、自硬性があるため小さな隙間にも充填され硬化し、路面の沈下がほとんど発生しないため、振動による締め固めや、ローラによる転圧が不要となり、施工期間の短縮につながる。
【００１８】
スラリー化安定処理土７は、埋設管６とトレンチ１の底部１０との間の隙間にも充填される。埋設管６とトレンチ１の底部１０との間の隙間にスラリー化安定処理土７が充填されると、埋設管６は浮力を受ける。しかし、埋設管６に接続された位置決め装置５により、埋設管６は浮力に抵抗し、埋設管６はずれずに強固に位置決めがなされる。
【００１９】
上記の埋め戻し作業は、従来の工法のように埋め戻しを段階的に行わずとも、埋設管６の位置決めが強固になされ、締め固めの作業も不要となるため、上記スラリー化安定処理土７を埋設管６の全周が隠れるまで、一度に充填することができ、施工期間を短縮することができる。
【００２０】
＜７＞解体撤去工程
土留壁２、切梁１１の取り外しは、スラリー化安定処理土７を埋め戻した直後からある程度硬化するまでの間であればいつでもよく、位置決め装置５の取り外しはスラリー化安定処理土７がある程度硬化し、スラリー化安定処理土７の浮力に埋設管６が耐えうる程度になった後に行う。（図２）
上記条件で土留壁２、切梁１１の取り外しを行えば、処理土は土留壁２の引き抜き後の隙間にも充填され硬化するため、従来の工法で問題とされた引き抜き後の路面の沈下を防止することができる。
取り外した土留壁２、位置決め装置５、切梁１１は、転用することができ、経済性を高くすることができる。
【実施例２】
【００２１】
第２の実施例として杭９をトレンチ１の底部に打設して埋設管６を両側から挟むようにしたり（図３）、杭９に替えて土嚢を設置してもよい。
本例にあっては、杭９が埋設管６の水平方向の移動を拘束するため、埋設管６をより強固に位置決めできる。
【実施例３】
【００２２】
第３の実施例として、横断杆４の両端部を地上の路盤に固定して取り付けることもできる。本例にあっては、埋設管６が受ける浮力の反力を地上の路盤からとることができ、埋設管６の浮き上がりが防止できる。
【図面の簡単な説明】
【００２３】
【図１】本発明の埋設菅の無基礎工法の実施例の工程図。
【図２】本発明の埋設菅の無基礎工法の実施例の断面図。
【図３】本発明の埋設菅の無基礎工法の他の実施例の断面図。
【図４】従来のトレンチ工法の工程図
【符号の説明】
【００２４】
１・・・トレンチ
１０・・底部
１１・・切梁
２・・・土留壁
３・・・縦杆
３１・・埋設管保持部
３２・・結束材
４・・・横断杆
４１・・長さ調節機構
４２・・スパイク
５・・・位置決め装置
６・・・埋設管
７・・・スラリー化安定処理土
８・・・接続具
９・・・杭
９１・・土嚢
２０・・基礎層
２１・・巻立層
２２・・埋立層
【図１】
2006183779.tif 000003
【図２】
2006183779.tif 000004
【図３】
2006183779.tif 000005
【図４】
2006183779.tif 000006